(57)【要約】【課題】外部からの異物の侵入を抑制し、オイルミスト潤滑により転がり軸受に適切に潤滑できる軸受装置を提供する。【解決手段】中央軸５ａと内輪５ｂとの間が、Ｏ−リングＯＲにより密封されているので、例えばメンテナンス時等において、転がり軸受１０内の圧力が低下した場合でも、中央軸５ａと内輪５ｂとの隙間より圧延油等の異物が外部より侵入することを抑制でき、転がり軸受１０内の潤滑油が希釈されることが抑制され、その寿命を長く確保できる。又、空気と潤滑油が中央軸５ａから内輪５ｂに移送される際にも、Ｏ−リングＯＲより漏れ出すことが抑制されるため、適切な圧力で転がり軸受１０に供給できる。【選択図】図７
2008256160.tif 000002
【特許請求の範囲】
【請求項１】
ロール支持装置に用いられる軸受装置であって、固定軸に嵌合する内輪を備えた転がり軸受と、霧状にした潤滑油を気体と混合して、前記固定軸及び前記前記内輪を通して前記転がり軸受内に供給する潤滑油供給装置とを有する軸受装置において、
前記固定軸と前記内輪との間を密封する密封装置を設けたことを特徴とする軸受装置。
【請求項２】
前記密封装置は、Ｏ−リングを有することを特徴とする請求項１に記載の軸受装置。
【請求項３】
前記密封装置は、加圧エアを前記固定軸と前記内輪との間に吐出することを特徴とする請求項１に記載の軸受装置。
【請求項４】
前記転がり軸受の内輪と外輪との間をシールするシール装置を有し、前記転がり軸受内の圧力を、大気圧より高い所定圧力に保持する弁体を設けたことを特徴とする請求項１〜３のいずれかに記載の軸受装置。
【発明の詳細な説明】
【技術分野】
【０００１】
本発明は、霧状の潤滑油と気体とを混合して圧送する潤滑油供給装置を備えた軸受装置に関し、特に鉄鋼設備のロール支持装置に用いると好適な軸受装置に関する。
【背景技術】
【０００２】
鉄鋼設備における多段式圧延機においては、圧延中にワークロールが撓むのを防ぐために、バックアップロールをワークロールの背後に配置して支持している。特にステンレス鋼等を圧延する場合、ワークロールとバックアップロールとの間に中間ロールを配置し、より高い圧延荷重に対応できるようにしている。ここで、バックアップロールとしては、単一の軸に対して複数の転がり軸受（一般的には円筒ころ軸受）を所定間隔で装着した構造のものがある。より具体的には、静止している固定軸（バックアップロール軸）に、複数の外輪回転型複列ころ軸受を配置し、この外輪を中間ロールに押し当てて、圧延時の中間ロールの変形を抑制し、ワークロールの撓みを抑えている。
【０００３】
一般的な鉄鋼設備に用いられる軸受装置は、連続操業にて高負荷、高温多湿、多粉塵といった過酷な環境で使用されることが多い。そのため、軸受装置には、内部への水や異物浸入を防ぐ密封性能の他、潤滑装置に異常が発生した場合でも内部に油浴を保持し長時間無給油状態で運転可能とするための構造が求められる。かかる要求に応えるために、バックアップロールにおいて、各ころ軸受に対して軸内部を通じて霧状の潤滑油を気体と共に供給する、いわゆるオイルミスト潤滑が用いられる場合がある（特許文献１参照）。
【０００４】
一般的なオイルミスト潤滑装置において、供給源から発生した霧状の潤滑油は圧縮空気によって配管内を通り転がり軸受まで搬送される。転がり軸受の給油口近傍には絞り具が設けられており、この絞り具によって搬送通路を狭くすることで空気の流速を上げ、霧状の潤滑油を転がり軸受内部の壁面に衝突させて油滴化する。かかる油滴を用いて転がり軸受を潤滑することができる。更に、供給された空気と、潤滑に用いられた潤滑油とは、転がり軸受のオイルシールから外部に排出されるようになっている。転がり軸受ヘの潤滑油の必要供給量は、一般に軸受サイズ、列数から求めることができ、その空気量は絞り具の穴形状によって決まる。供給源を単一とし、分岐した配管を用いて複数の軸受装置に潤滑油を分配する供給システムの場合、全体の供給量は、通常は各軸受装置の和に安全を見た量を加算し設定する。
【特許文献１】実開昭５２−５１９４４号公報
【特許文献２】実公平１−１４３２２号公報
【発明の開示】
【発明が解決しようとする課題】
【０００５】
ところで、近年、圧延工程の高効率化が推進され、ワークロールの回転速度が増大する傾向がある。これに伴いワークロールからの発熱量が増大するため、発熱を抑えるべく大量の圧延油が、バックアップロールの周囲に噴霧されている。しかるに、圧延油は潤滑油に比べ粘度が低いので、これが転がり軸受内に侵入すると、転がり軸受の潤滑性が低下し、寿命が短くなる恐れがある。これに対し、特許文献２には、転がり軸受の外輪と内輪との間にシールを配置することで、圧延油等が内部に侵入することを抑制している。
【０００６】
ところが、転がり軸受の外輪と内輪との間にシールを配置するのみでは、圧延油の侵入を完全に防げないことが判明した。
【０００７】
本発明は、かかる従来技術の問題点に鑑みてなされたものであり、外部からの異物の侵入を抑制し、オイルミスト潤滑により転がり軸受に適切に潤滑できる軸受装置を提供することを目的とする。
【課題を解決するための手段】
【０００８】
本発明の軸受装置は、ロール支持装置に用いられる軸受装置であって、固定軸に嵌合する内輪を備えた転がり軸受と、霧状にした潤滑油を気体と混合して、前記固定軸及び前記前記内輪を通して前記転がり軸受内に供給する潤滑油供給装置とを有する軸受装置において、
前記固定軸と前記内輪との間を密封する密封装置を設けたことを特徴とする。
【発明の効果】
【０００９】
本発明者らは、鋭意研究の結果、転がり軸受の内輪と固定軸との間に、数μｍ〜１００μｍ程度の隙間が存在し、この隙間を介して外部より圧延油が侵入し、更にオイルミスト潤滑用の孔を介して転がり軸受内部に侵入することを見出した。従って、転がり軸受の外輪と内輪との間にシール装置を設けても、圧延油の侵入を完全に阻止することはできない。かかる知見に基づいて、前記固定軸と前記内輪との間を密封する密封装置を設けることで、圧延油等の異物が外部から転がり軸受内部に侵入することを抑制できるようになったのである。
【００１０】
前記密封装置は、Ｏ−リングを有すると好ましい。
【００１１】
前記密封装置は、加圧エアを前記固定軸と前記内輪との間に吐出すると好ましい。
【００１２】
前記転がり軸受の内輪と外輪との間をシールするシール装置を有し、前記転がり軸受内の圧力を、大気圧より高い所定圧力に保持する弁体を設けると好ましい。かかる場合、前記弁体は、前記転がり軸受の内部から潤滑油及び気体が排出することを許容するが、前記転がり軸受の外部から異物（例えば圧延油等）が侵入することを阻止するようになっていることが好ましい。これにより、前記弁体に回収用の配管を接続することで、バキューム装置等を設けることなく潤滑油の回収を容易に行うことができ、低コストながら周囲環境の汚染を抑制できるため好ましい。このような弁体としては、例えば逆止弁などがある。
【発明を実施するための最良の形態】
【００１３】
以下、本発明の実施の形態を、図面を参照して以下に詳細に説明する。図１は、本実施の形態にかかる潤滑装置を適用されるセンジマミル圧延機の概略図である。図１において、ハウジング１の中央には、所定の隙間を空けつつ上下に対向して一対のワークロール２がハウジング１に対して回転可能に配置されている。各ワークロール２の背後には、それより大径の第１中間ロール３が２本当接しハウジング１に対して回転可能に配置され、２本の第１中間ロール３の背後には、３本の第２中間ロール４が３本当接当接しハウジング１に対して回転可能に配置され、３本の第２中間ロール４の背後には、バックアップロール（回転軸）５が４本当接当接しハウジング１に対して回転可能に配置されている。
【００１４】
図１の左方より、ステンレス鋼板ＳＳがハウジング１内に侵入し、一対のワークロール２の間を通過する際に、圧延されて板厚を減少させ、その後、ハウジング１から図１の右方へと退出するようになっている。このとき、ワークロール２には過大な圧延荷重が作用するが、これは第１中間ロール３，第２中間ロール４，及びバックアップロール５により支持されるので、ワークロール２の撓みが抑えられ、均一な板厚を得ることができる。
【００１５】
図２は、バックアップロールを潤滑するために潤滑油を供給するオイルミスト潤滑装置を含む潤滑装置の概略図であり、図３は、ワークロールの概略断面図である。図２において、供給源６から、供給配管７を介して、８本のバックアップロール５内の軸受に供給されるようになっている。供給源６は、加熱した空気を用いて潤滑槽中の潤滑油を霧状にし、これを空気と共に供給配管７に放出する機能を有するものであり、良く知られているので詳細は記載しない。
【００１６】
図３において、バックアップロール５は、ハウジング１（図１）に固定された中空の中央軸（固定軸）５ａと、中央軸５ａに嵌合した複数の内輪５ｂと、内輪５ｂと同軸に配置された複数の外輪５ｃと、それぞれの内輪５ｂと外輪５ｃとの間に二列で配置されて転動するころ５ｄと、ころ５ｄを保持する保持器５ｅとを有している。内輪５ｂと、外輪５ｃと、ころ５ｄと、保持器５ｅとで、転がり軸受１０を構成する。本実施の形態においては、外輪５ｃの外周面で、第２中間ロール４の外周面を直接押圧するようになっているが、ここでは回転軸を兼ねている。
【００１７】
図４は、転がり軸受１０の拡大断面図である。図５は、図４の矢印Vで示す部位を拡大して示す図である。図４において、内輪５ｂは軸線方向に分割した２つの内輪半部５ｂｈからなる。具体的には、各内輪半部５ｂｈは、一端に半径方向外方に延在するフランジ部５ｂｈ１を有し、他端の端面に複数の三日月状の切欠５ｂｈ２を形成している。又、内輪半部５ｂｈの外方端内周には端部拡径部（段差部）５ｂｈ３を形成している。ここには、後述するＯ−リングが組み込まれる。切欠５ｂｈ２同士を突き合わせた状態で、一対の内輪半部５ｂｈを組み合わせることで、内輪５ｂが形成される。
【００１８】
図３において、中央軸５ａの内部に形成された袋孔５ａ１の開口端には、図２の供給配管７が接続されている。又、中央軸５ａは、袋孔５ａ１に連通した孔５ａ２を、内輪半部５ｂｈの切欠５ｂｈ２（図４）に対向させて外周面に形成している。各孔５ａ２内には、断面積が絞られた小径孔を有する加速部材９が取り付けられている。
【００１９】
図４において、単一の中空円筒である外輪５ｃは、中央に半径方向内方に延在するフランジ部５ｃ１を形成している。各列のころ５ｄは、軸線方向外側の端面を内輪半部５ｂｈのフランジ部５ｂｈ１に対向させ、軸線方向内側の端面を外輪５ｃのフランジ部５ｃ１に対向させて配置されており、転がり軸受１０の動作時に、フランジ部５ｂｈ１，５ｃ１によりころ５ｄを案内するようになっている。軸線方向両側に片持ち状に櫛歯を突き出してなる保持器５ｅは、その櫛歯間にころ５ｄを保持している。両方の内輪半部５ｂｈのフランジ部５ｂｈ１と、外輪５ｃの端面との間にシール装置８が配置されている。
【００２０】
図５において、シール装置８は、ころ５ｄに隣接して配置され止め輪８ａにより外輪５ｃに固定されるドーナツ板状のシールド板８ｂと、内輪５ｂの外周に嵌合し外輪５ｃに向かって延在する芯金８ｃと、芯金８ｃの内壁に固着されシールド板８ｂに向かって延在し、端部が全周で当接する樹脂又はゴム製のシールリップ８ｄとからなっている。芯金８ｃには、軸線方向に貫通する孔８ｃ１が形成されており、その内部には弁体１１が取り付けられている。
【００２１】
図６は、弁体の断面図である。弁体１１は、外部に開放した排出路１１ａ１と弁座１１ａ２とを有する中空円筒状のハウジング１１ａと、ハウジング１１ａ内に配置された半球型頭部１１ｂ１を有するポペット弁１１ｂと、ハウジング１１ａの端部をふさぐ支持板１１ｃと、支持板１１ｃに対してポペット弁１１ｂの頭部１１ｂ１を弁座１１ａ２に向かって付勢するコイルバネ１１ｄとからなる。
【００２２】
弁体１１は、シール装置８の内部の圧力と外部の圧力との差が所定圧未満の場合には、コイルバネ１１ｄの付勢力により、ポペット弁１１ｂの頭部１１ｂ１が弁座１１ａ２に当接したままとなる。これに対し、シール装置８の内部の圧力が外部の圧力に対して所定圧以上に高まったときに、ポペット弁１１ｂの頭部１１ｂ１が弁座１１ａ２から離脱して、転がり軸受１の内部より潤滑油と空気の排出を許容するようになっている。
【００２３】
図７は、転がり軸受１０を中央軸５ａに組み込んだ状態で示す断面図である。図７に示すように、内輪５ｂの端部拡径部５ｂｈ３には、Ｏ−リングＯＲが配置されており、中央軸５ａと内輪５ｂとの間を密封している。Ｏ−リングＯＲが密封装置を構成する。中央軸５ａの孔５ａ２内には、中央に小径孔９ａを有する円筒状の加速部材９が嵌合配置されている。小径孔９ａの断面積は、内輪半部５ｂｈの突き合わされた切欠５ｂｈ２の通路断面積よりも小さくなっている。
【００２４】
次に、本実施の形態にかかるオイルミスト潤滑の態様について述べる。図２に示す供給源６から、霧状の潤滑油と空気とが供給配管７を介してバックアップロール５の中央軸５ａの袋孔５ａ１内に供給される。ここに供給された霧状の潤滑油と空気とは、加速部材９を介して内輪半部５ｂｈの切欠５ｂｈ２内へと放出されるが、このとき加速部材９の小径孔９ａ（図７）を通過することで流速が高まり、更に霧状の潤滑油が保持器５ｅに衝突して滴化して液体となり、ころ５ｄと転動面とを潤滑するようになっている。
【００２５】
ここで、内輪５ｂと外輪５ｃとの間に充填された空気と潤滑油は、最終的には弁体１１から排出されるが、所定の圧力になるまで、内輪５ｂと外輪５ｃとの間に貯留される。シール装置８のシールリップ８ｄの緊迫力は、内輪５ｂと外輪５ｃとの間の圧力が所定圧（例えば１０ｋＰａ）になっても、密封を維持できる程度に高くされている。従って、例えば転がり軸受１０が圧延油などに浸漬された状態であっても、シールリップ８ｄの当接部を介して内部に圧延油等が侵入することはなく、さらには弁体１１の逆止弁的効果により、弁体１１を介しても内部に圧延油等が侵入することはない。一方、転がり軸受１０の内部の空気と潤滑油は、弁体１１のみから排出され、それ以外の部位から殆ど排出されることがない。
【００２６】
内輪５ｂと外輪５ｃとの間の圧力が所定の圧力になったとき、内部に充填された空気及びころ５ｄの潤滑に用いられた潤滑油は、シールド板８ｂの内径側を通過し、芯金８ｃの孔８ｃ１を通過して、弁体１１から排出される。これにより、常に新鮮な潤滑油を転がり軸受１０に供給することができる。ここで、図５に点線で示すように、弁体１１の外部に筐体状の受け部を密封的に取り付ければ、弁体１１から排出される潤滑油を内圧だけで不図示の回収タンクまで回収することができるため、別体のポンプなどを用いることなく低コストで回収が可能であり、弁体１１から排出された潤滑油で周囲環境を汚染することが回避される。
【００２７】
本実施の形態によれば、弁体１１が、転がり軸受１０内の圧力を、大気圧より高い所定圧力に保持するので、転がり軸受１０内の圧力を高く維持することにより、外部の圧延油等や異物が侵入することを抑制できる。
【００２８】
更に、本実施の形態によれば、中央軸５ａと内輪５ｂとの間が、Ｏ−リングＯＲにより密封されているので、例えばメンテナンス時等において、転がり軸受１０内の圧力が低下した場合でも、中央軸５ａと内輪５ｂとの隙間より圧延油等の異物が外部より侵入することを抑制でき、転がり軸受１０内の潤滑油が希釈されることが抑制され、その寿命を長く確保できる。又、空気と潤滑油が中央軸５ａから内輪５ｂに移送される際にも、Ｏ−リングＯＲより漏れ出すことが抑制されるため、適切な圧力で転がり軸受１０に供給できる。
【００２９】
特に、図７に示す構成の場合、内輪５ｂの軸線方向外側からＯ−リングＯＲを組み込めるので、内輪５ｂを１列ずつ組み込む際に、最初に中央軸５ａに挿入する方の内輪５ｂのＯ−リングＯＲを予め中央軸５ａに挿入し、その後２つの内輪５ｂを中央軸５ａに挿入し、最後にもう一つのＯ−リングＯＲを中央軸５ａに挿入することで組み付けが可能になる。即ち、内輪５ｂとＯ−リングＯＲとを一体で組み付ける必要がなく、中央軸５ａの外周に設けられた溝や孔を通過する際に、Ｏ−リングＯＲの噛み込み等が抑制され、Ｏ−リングＯＲの破損を抑制できる。
【００３０】
例えば、弁体１１の支持板１１ｃをハウジング１１ａに螺合させるなどして、支持板１１ｃをハウジング１１ａに回転させることでコイルバネ１１ｄの付勢力を変更できれば、ポペット弁１１ｂの頭部１１ｂ１が弁座１１ａ２から離脱する開弁圧を可変とすることができる。このように、弁体１１が転がり軸受１０内の圧力を調整する機能を有すれば、シール装置８のシールリップ８ｄから空気等を洩らす必要がなくなり、従ってシールリップの緊迫力を上げることで、シール効果はより高まる。
【００３１】
更に、弁体１１は、転がり軸受１０の内部から潤滑油及び気体が排出することを許容するが、転がり軸受１０の外部から異物が侵入することを阻止するようになっているので、弁体１１に回収用の配管を接続することで、バキューム装置等を設けることなく潤滑油の回収を容易に行うことができ、低コストながら周囲環境の汚染を抑制できるため好ましい。
【００３２】
又、転がり軸受１０に潤滑油及び気体を供給する供給路の最小断面積は、調整機構としての加速部材９の小径孔の断面積Ａであり、転がり軸受１０から潤滑油及び気体を排出する排出路の最小断面積は、ポペット弁１１ｂの頭部１１ｂ１が弁座１１ａ２から離脱したときの開口面積Ｂである。ここで、Ａ＞Ｂとすることにより、弁体１１で潤滑油の排出側で流量の調整を行うことが出来るため、転がり軸受１０へ供給する潤滑油及び気体の流量や、転がり軸受１０の内部圧力を容易に制御できる。これは、図２に示すように複数の転がり軸受１０を用いる場合において、軸受間で潤滑油の供給バラツキを抑えるのに特に効果的である。尚、コイルバネ１１ｄの付勢力が異なる弁体１１に交換することでも、開弁圧の調整は可能である。いずれにしても、絞り具を転がり軸受の内輪側に配置していた従来技術に比べると、本実施の形態のように調整手段としての弁体１１を排出側に配置することで、調整や交換が容易となる。
【００３３】
尚、本発明は、従来のオイルミスト潤滑を採用した潤滑装置に比べて、より高い空気圧にて霧状の潤滑油を圧送する必要がある。しかるに、オイルミスト潤滑において、供給空気圧を高くすると、ある空気圧以上では空気に含まれる霧状の潤滑油の量が減少することが知られているため、従来はその領域以下の圧力にて空気圧を設定している。しかしながら、空気圧を高めても潤滑油の量はゼロになることはなく、転がり軸受は滴化して内部に貯留された潤滑油で潤滑されるため、特に問題は生じないと考えられる。
【００３４】
一方、空気圧を高めると、空気量が増加するので、供給配管内を流れる空気流速が増すことにより管中での潤滑油の滴化が懸念される。この点は、管内径と流量と流速の関係より、滴化しないように管内径を選択すればよい。従来は、絞り具を通過する空気量は、その形状および前後の圧力の影響を受けることから、精度良く空気量を求めることは困難であった。これに対し、本発明のように、排出側の弁体で流量特性を決めれば、そこから供給配管内を流れる空気の流量を精度良く求めることが可能となり、よって空気流量の最適化により供給配管内での滴化を効果的に抑制できる。
【００３５】
以上の実施の形態では、シール装置８の芯金８ｃに弁体１１を取り付けているが、例えば図５に一点鎖線で示すように内輪５ｂに排出路５ｂ２を形成し、その開放端に弁体１１を取り付けることで、同様な効果を得ることができる。
【００３６】
図８は、本実施の形態の変形例にかかる図７と同様な断面図である。本変形例においては、図７に示す実施の形態に対して、中央軸５ａの周囲に中間スリーブ１２を嵌合させ、更に中間スリーブ１２を内輪５ｂに嵌合させている点が主として異なる。尚、中間スリーブ１２に形成され、加速部材９の小径孔９ａに連通してなる開口１２ａの断面積を、小径孔９ａの断面積より小さくすれば、絞り機能を開口１２ａに持たせることができる。それ以外の構成については、上述した実施の形態と同様であるため説明を省略する。
【００３７】
図９は、本実施の形態の変形例にかかる図７と同様な断面図であるが、全断面で記載している。本変形例においては、図７に示す実施の形態に対して、中央軸５Ａａに、外部に連通する排油孔５ａ３を形成し、ころ５ｄを挟んで内輪５Ａｂの切欠５ｂｈ２と反対側に、排油孔５ａ３に連通する貫通孔５ｂｈ４をそれぞれ設けている。かかる場合、シール装置８に弁体１１を設ける必要はない。切欠５ｂｈ２を介して転がり軸受１０内に侵入した潤滑油は、ころ５ｄの転動面を潤滑した後、貫通孔５ｂｈ４，排油孔５ａ３を介して外部に排出され、不図示のタンク等で回収できる。
【００３８】
図１０は、本実施の形態の変形例にかかる図９と同様な断面図である。本変形例においては、図９に示す実施の形態に対して、中央軸５ａの周囲に中間スリーブ１２Ａを嵌合させ、更に中間スリーブ１２Ａを内輪５ｂに嵌合させている点が主として異なる。中央軸５Ａａの排油孔５ａ３は、中間スリーブ１２Ａの径孔１２ｂを介して、内輪５Ａｂの貫通孔５ｂｈ４に連通している。
【００３９】
図１１は、本実施の形態の変形例にかかる図７と同様な断面図である。本変形例においては、図７に示す実施の形態に対して、シール装置を取り去った点のみが異なる。従って、切欠５ｂｈ２を介して転がり軸受１０内に侵入した潤滑油は、ころ５ｄの転動面を潤滑した後、外輪５ｃと内輪５ｂとの間を通って両側より排出される。それ以外の構成については、上述した実施の形態と同様であるため説明を省略する。本変形例は、圧延油等がかかりにくい場所に設置されると好ましい。
【００４０】
図１２は、本実施の形態の変形例にかかる図８と同様な断面図である。本変形例においては、図８に示す実施の形態に対して、シール装置を取り去った点のみが異なる。それ以外の構成については、上述した実施の形態と同様であるため説明を省略する。
【００４１】
図１３は、本実施の形態の変形例にかかる図１１と同様な断面図である。本変形例においては、図１１に示す実施の形態に対して、内輪５Ｂｂの軸線方向両側にそれぞれ当接する鍔輪１３の内周に、端部拡径部１３ａを形成しており、端部拡径部１３ａ内にＯ−リングＯＲを配置している。従って、内輪５ｂに拡径部は形成されていない。尚、鍔輪１３の外周と、外輪５ｃの内周との隙間はわずかであり、かかる隙間より空気と潤滑油を調節しながら排出している。本変形例においては、鍔輪１３とＯ−リングＯＲとで密封装置を構成する。
【００４２】
図１４は、本実施の形態の変形例にかかる図７と同様な断面図である。本変形例においては、図７に示す実施の形態に対して、内輪５ｂの両端近傍における内周に周溝５ｂｈ５を形成しており、周溝５ｂｈ５内にＯ−リングＯＲを配置している。このように、周溝５ｂｈ５内にＯ−リングＯＲを設けることで、転がり軸受１０を中央軸５ａに組み込んだり分解したりする際に破損したり、経年劣化によりＯ−リングＯＲが劣化した場合にも容易に交換できる。このような周溝５ｂｈ５は、図８〜１３の変形例にも適用できる。
【００４３】
図１５は、本実施の形態の変形例にかかる図９と同様な断面図である。本変形例においては、図９に示す実施の形態に対して、内輪５Ｂｂの両端近傍における内周に周溝５ｂｈ５を形成している。更に、中央軸５Ｂａに、周溝５ｂｈ５と外部とを連通する空気孔５ａ４を形成している。周溝５ｂｈ５と空気孔５ａ４とで密封装置を構成する。空気孔５ａ４を加圧エア源に接続することにより、空気孔５ａ４を介して周溝５ｂｈ５に加圧エアが供給され、内輪５Ｂｂと中央軸５Ｂａとの間に吐出されて加圧効果を与える。これにより、中央軸５Ｂａと内輪５Ｂｂとの隙間より圧延油等の異物が外部より侵入することを抑制でき、転がり軸受１０内の潤滑油が希釈されることが抑制され、その寿命を長く確保できる。このような周溝５ｂｈ５は、図８〜１３の変形例にも適用でき、特に中間スリーブを設ける場合には、中央軸又は中間スリーブに空気孔を設けることができる。
【００４４】
図１６は、別な変形例を示す図である。本変形例の内輪５Ｃｂにおいては、端部拡径部も周溝も形成されていない。その代わり、内輪５Ｃｂの端面に当接する相手部材１４の端部内周にはテーパ状の面取り部１４ａが形成されている。内輪５Ｃｂと相手部材１４との間に配置されたＯ−リングＯＲは、面取り部１４ａ内に収容され、弾性変形することで、中央軸５ａ、内輪５Ｃｂ、相手部材１４との間を密封するようになっている。相手部材１４とＯ−リングＯＲとで密封装置を構成する。
【００４５】
以上、本発明を実施例を参照して説明してきたが、本発明は上記実施例に限定して解釈されるべきではなく、適宜変更・改良が可能であることはもちろんである。弁体としては、図６に示すタイプに限られず、種々のものを用いることができる。
【図面の簡単な説明】
【００４６】
【図１】本実施の形態にかかる潤滑装置を適用されるセンジマミル圧延機の概略図である。
【図２】バックアップロールを潤滑するために潤滑油を供給するオイルミスト潤滑装置を含む軸受装置の概略図である。
【図３】ワークロールの概略断面図である。
【図４】図４は、転がり軸受１０の拡大断面図である。
【図５】図４の矢印Vで示す部位を拡大して示す図である。
【図６】弁体の断面図である。
【図７】本実施の形態の変形例にかかる断面図である。
【図８】本実施の形態の変形例にかかる断面図である。
【図９】本実施の形態の変形例にかかる断面図である。
【図１０】本実施の形態の変形例にかかる断面図である。
【図１１】本実施の形態の変形例にかかる断面図である。
【図１２】本実施の形態の変形例にかかる断面図である。
【図１３】本実施の形態の変形例にかかる断面図である。
【図１４】本実施の形態の変形例にかかる断面図である。
【図１５】本実施の形態の変形例にかかる断面図である。
【図１６】本実施の形態の変形例にかかる断面図である。
【符号の説明】
【００４７】
１ ハウジング
２ ワークロール
３ 第１中間ロール
４ 第２中間ロール
５ バックアップロール
５ａ、５Ａａ、５Ｂａ 中央軸
５ａ１ 袋孔
５ａ２ 孔
５ｂ、５Ａｂ，５Ｂｂ、５Ｃｂ 内輪
５ｂｈ 内輪半部
５ｂｈ１ フランジ部
５ｂｈ２ 切欠
５ｂｈ３ 端部拡径部
５ｂｈ４ 周溝
５ｂｈ５ 周溝
５ｂ２ 排出路
５ｃ 外輪
５ｃ１ フランジ部
５ｄ ころ
５ｅ 保持器
６ 供給源
７ 供給配管
８ シール装置
８ａ 止め輪
８ｂ シールド板
８ｃ 芯金
８ｃ１ 孔
８ｄ シールリップ
９ 加速部材
１０ 転がり軸受
１１ 弁体
１１ａ ハウジング
１１ａ１ 排出路
１１ａ２ 弁座
１１ｂ ポペット弁
１１ｂ１ 半球型頭部
１１ｃ 支持板
１１ｄ コイルバネ
１２，１２Ａ  中間スリーブ
１３  鍔輪
１４  相手部材
ＯＲ  Ｏ−リング
ＳＳ ステンレス鋼板
【図１】
2008256160.tif 000003
【図２】
2008256160.tif 000004
【図３】
2008256160.tif 000005
【図４】
2008256160.tif 000006
【図５】
2008256160.tif 000007
【図６】
2008256160.tif 000008
【図７】
2008256160.tif 000009
【図８】
2008256160.tif 000010
【図９】
2008256160.tif 000011
【図１０】
2008256160.tif 000012
【図１１】
2008256160.tif 000013
【図１２】
2008256160.tif 000014
【図１３】
2008256160.tif 000015
【図１４】
2008256160.tif 000016
【図１５】
2008256160.tif 000017
【図１６】
2008256160.tif 000018